(57)【要約】      （修正有）【課題】火葬の際であって、納骨済みの骨壷の明確化を行ないたい場合、骨壷に故人の情報を表示させることが低コストでできる骨壷用パネルを提供する。【解決手段】本骨壷用パネル１は、骨壷の側面に取り付け可能な骨壷用パネル１であって、本体部材２と、本体部材２を骨壷の側面に取り付け可能な装着面３と、装着面３と対向する表示面４とを備え、装着面３は、骨壷の側面形状に対応する湾曲形状を有し、表示面４は、故人を示す写真、名前、模様、絵画、文章および記号の少なくとも一つを備える情報を表示している。【選択図】図１
0003157142.tif 000002
【実用新案登録請求の範囲】
【請求項１】
骨壷の側面に取り付け可能な骨壷用パネルであって、
本体部材と、
前記本体部材を前記骨壷の側面に取り付け可能な装着面と、
前記装着面と対向する表示面と、を備え、
前記装着面は、前記骨壷の側面形状に対応する湾曲形状を有し、
前記表示面は、故人を示す写真、名前、模様、絵画、文章および記号の少なくとも一つを備える情報を表示している骨壷用パネル。
【請求項２】
前記骨壷は、円筒形状を有し、
前記湾曲形状は、前記円筒形状に沿った曲面を有している請求項１記載の骨壷用パネル。
【請求項３】
前記表示面は、略平坦形状を有し、前記情報が前記表示面に印刷されている請求項１又は２記載の骨壷用パネル。
【請求項４】
前記情報は、前記表示面にレーザー焼付けされている請求項１から３のいずれか記載の骨壷用パネル。
【請求項５】
前記装着面は、接着、溶着、溶接および取り付け部材の少なくとも一つによって、前記本体部材を前記骨壷の側面に取り付け可能である請求項１から４のいずれか記載の骨壷用パネル。
【請求項６】
前記取り付け部材は、前記骨壷の側面に設けられた凹部と嵌合する凸部である請求項５記載の骨壷用パネル。
【考案の詳細な説明】
【技術分野】
【０００１】
本考案は、故人の遺骨を納める骨壷であって、遺族にとって故人を偲ぶ気持ちを高めることの出来る骨壷に関するものである。
【背景技術】
【０００２】
不幸にして、身内や友人などの大切な人が亡くなってしまうことは避けられない。日本においては亡くなった人は火葬され遺骨が埋葬されることが通常である。
【０００３】
このとき、遺骨は骨壷に納められ、お墓の内部に納められることが多い。しかしながら、遺骨を納めた骨壷を、遺族の目に留まるところにおいて、遺族が故人を偲びやすくすることも多い。このような場合には、骨壷に納められている故人の遺影などが骨壷と一緒には無いことがあったり、故人が複数の場合に骨壷が複数であると、骨壷と遺影との対応が分からなくなったりして遺族にとって不都合であることも多い。
【０００４】
また、骨壷がお墓の内部に納められる場合には、家族や先祖代々の骨壷が多数収められており、どの骨壷が誰のものであるかわかりにくくなる。骨壷の蓋に故人の名前を書くことがあるが、家族や一族であると名前も似ており、名前だけでは即座に誰の骨壷であるか判断するのは難しいことも多い。
【０００５】
骨壷は、お墓の地下に納められることが多く、内部は暗いため、骨壷を一見しただけでは誰の骨壷なのか分かり難い。
【０００６】
このため、骨壷本体の側面や蓋の表面に文字や文章などを彫刻している骨壷が提案されている（例えば、特許文献１参照）。
【先行技術文献】
【特許文献】
【０００７】
【特許文献１】実用新案登録第３１４９１３４号公報
【考案の概要】
【考案が解決しようとする課題】
【０００８】
しかしながら、特許文献１に開示される骨壷は、骨壷そのものの表面に名前や文章を彫刻しているため、骨壷単位でこれらの彫刻を施す作業が必要である。
【０００９】
一般的な葬祭においては、故人は火葬場において火葬にふされ、葬儀社が用意している骨壷に遺骨が納められる。このため、特許文献１のように、予め名前や文章を彫刻した骨壷を用意することは難しい。逆に、遺骨を納めた骨壷に、事後的に名前や写真を彫刻することも難しい。遺骨を入れた状態での作業は、遺骨を傷つける可能性があるからである。さらには、遺族にとっても受け入れにくい作業であるからである。
【００１０】
また、既にお墓や納骨堂に納骨されている骨壷が誰のものであるかを明確にしたい要望もある。すなわち、故人が亡くなった際に骨壷に名前などを表示させるだけでなく、納骨済みの骨壷のそれぞれに、名前などを表示させたい要望も存在する。
【００１１】
このように納骨済みの骨壷に名前や文章を彫刻することも、遺骨を傷つける可能性があり、遺族には受け入れにくい作業である。
【００１２】
以上のように、従来技術の骨壷は、骨壷そのものに彫刻を施す必要があり、火葬の際の拾骨や、納骨済みの場合のいずれにおいても、骨壷に彫刻を施すことが難しい問題があった。結果として、骨壷に故人の情報を表示することが容易ではない問題があった。
【００１３】
本考案は、上記課題に鑑み、火葬の際であっても、納骨済みの骨壷の明確化を行ないたい場合であっても、骨壷に故人の情報を表示させることが低コストでできる骨壷用パネルを提供することを目的とする。
【課題を解決するための手段】
【００１４】
上記課題を解決するために、本考案の骨壷用パネルは、骨壷の側面に取り付け可能な骨壷用パネルであって、本体部材と、本体部材を骨壷の側面に取り付け可能な装着面と、装着面と対向する表示面と、を備え、装着面は、骨壷の側面形状に対応する湾曲形状を有し、表示面は、故人を示す写真、名前、模様、絵画、文章および記号の少なくとも一つを備える情報を表示している。
【考案の効果】
【００１５】
本考案の骨壷用パネルによれば、既に存在する骨壷や葬儀社などで用意されている骨壷の側面などに取り付けるだけで、故人を偲ぶ故人の情報を表示できるようになる。
【００１６】
加えて、骨壷用パネルは、骨壷と別に提供されたり入手されたりするので、提供者側にとっても使用者側にとっても、骨壷に縛られない自由度を享受できる。特に、予め故人の情報を表示した骨壷用パネルを複数用意しておけば、亡くなった後で骨壷に取り付ければ済み、分骨された骨壷にも取り付けが容易となる。
【００１７】
結果として、遺骨の入った骨壷に彫刻や印刷をする作業が省かれ、遺族にとっても容易でかつ受け入れやすいものとなる。
【図面の簡単な説明】
【００１８】
【図１】本考案の実施の形態における骨壷用パネルの斜視図である。
【図２】本考案の実施の形態における骨壷用パネルの正面図である。
【図３】本考案の実施の形態における骨壷用パネルを骨壷に取り付けた状態を示す模式図である。
【図４】本考案の実施の形態における骨壷用パネルを取り付けた骨壷の正面図である。
【図５】本考案の実施の形態における骨壷用パネルの背面図である。
【図６】本考案の実施の形態における骨壷用パネルの背面図である。
【図７】本考案の実施の形態における骨壷に骨壷用パネルを取り付ける状態を示す説明図である。
【図８】本考案の実施の形態における表示面の正面図である。
【考案を実施するための形態】
【００１９】
本考案の第１の考案に係る骨壷用パネルは、骨壷の側面に取り付け可能な骨壷用パネルであって、本体部材と、本体部材を骨壷の側面に取り付け可能な装着面と、装着面と対向する表示面と、を備え、装着面は、骨壷の側面形状に対応する湾曲形状を有し、表示面は、故人を示す写真、名前、模様、絵画、文章および記号の少なくとも一つを備える情報を表示している。
【００２０】
この構成により、骨壷に対する作業を行なうことなく、故人の情報を骨壷に表示させることができる。
【００２１】
本考案の第２の考案に係る骨壷用パネルでは、第１の考案に加えて、骨壷は、円筒形状を有し、湾曲形状は、円筒形状に沿った曲面を有している。
【００２２】
この構成により、骨壷用パネルは、骨壷の側面に取り付けやすくなる。
【００２３】
本考案の第３の考案に係る骨壷用パネルでは、第１又は第２の考案に加えて、表示面は、略平坦形状を有し、情報が表示面に印刷されている。
【００２４】
この構成により、遺族は故人の表示を視認しやすくなる。
【００２５】
本考案の第４の考案に係る骨壷用パネルでは、第１から第３のいずれかの考案に加えて、情報は、表示面にレーザー焼付けされている。
【００２６】
この構成により、表示面が見やすくなる。
【００２７】
本考案の第５の考案に係る骨壷用パネルでは、第１から第４のいずれかの考案に加えて、装着面は、接着、溶着、溶接および取り付け部材の少なくとも一つによって、本体部材を骨壷の側面に取り付け可能である。
【００２８】
この構成により、骨壷用パネルの取り付けが容易になる。また、取り付け強度も高まる。
【００２９】
本考案の第６の考案に係る骨壷用パネルでは、第５の考案に加えて、取り付け部材は、骨壷の側面に設けられた凹部と嵌合する凸部である。
【００３０】
この構成により、骨壷用パネルの取り付け強度が高まる。
【００３１】
以下、図面を参照しながら、実施の形態について説明する。
【００３２】
図１は、本考案の実施の形態における骨壷用パネルの斜視図である。骨壷用パネルを斜めから見た状態が示されている。
【００３３】
（全体概要）
【００３４】
まず、骨壷用パネルの全体概要について説明する。
【００３５】
骨壷用パネル１は、骨壷の側面に取り付け可能である。骨壷用パネル１は、本体部材２と、本体部材２を骨壷の側面に取り付け可能な装着面３と、装着面３と対向する表示面４と、を備える。ここで、装着面３は、骨壷の側面形状に対応する湾曲形状を有している。表示面４は、故人を示す写真、名前、模様、絵画、文章および記号の少なくとも一つを表示する。
【００３６】
表示面４には、表示する情報が印刷される印刷領域が備えられている。
【００３７】
本体部材２は、骨壷用パネル１を形成する主たる部材であり、本体部材２によって骨壷用パネル１の骨格が形成される。
【００３８】
装着面３は、本体部材２を骨壷の側面に装着可能とすることで、骨壷用パネル１を骨壷の側面に取り付ける。また、装着面３は、骨壷の側面形状に対応する湾曲形状を有しており、装着面３が骨壷の側面にフィットして装着されるようになる。この結果、骨壷用パネル１は、骨壷に対して美しく装着できる。
【００３９】
表示面４は、別途用意された故人の写真、名前、模様、絵画、文章および記号の少なくとも一つについての情報を別途表示するように処理される。例えば、印刷、レーザー印刷、彫刻などの手段によって、表示面４に故人の情報が表示されるようになる。
【００４０】
表示面４は、装着面３と逆側（すなわち対向面）に設けられ、装着面３が骨壷に取り付けられることで、表示面４が外部（すなわち骨壷を見る人に対して）に露出して、表示面４が表示する故人の情報が見えるようになる。
【００４１】
図２は、本考案の実施の形態における骨壷用パネルの正面図である。
【００４２】
図２は、骨壷用パネル１を上から見た状態を示している。図２より明らかな通り、骨壷用パネル１は、表示面４と装着面３とを有しており、表示面３は略平坦形状を有しており、装着面３は、湾曲形状を有している。また、本体部材２の表面に平面部材６を設けることで、略平坦形状な表示面４を形成しやすくなる。
【００４３】
図２に示されるように、骨壷用パネル１は、骨壷に取り付けが用意であると共に視認しやすい表示面４を有する形状をもって、故人の情報が遺族によって容易に確認できる構造を有している。
【００４４】
図３は、本考案の実施の形態における骨壷用パネルを骨壷に取り付けた状態を示す模式図である。図３に示されるように、骨壷用パネル１は、骨壷１０の側面に取り付けられる。
【００４５】
骨壷１０は、円柱や円筒形状を有していることが多く、骨壷１０の側面は、湾曲形状を有していることが多い。骨壷用パネル１の装着面３は、湾曲形状を有しており、この骨壷１０の側面の湾曲形状に対応できる。装着面３が骨壷１０の側面に沿って装着されて、骨壷用パネル１は、骨壷１０の側面に取り付けられる。
【００４６】
骨壷用パネル１が、骨壷１０に取り付けられると、骨壷１０の側面に出っ張った状態を形成する。この出っ張った状態となって、遺族は、骨壷用パネル１の表示面４を容易に視認することができる。骨壷用パネル１が骨壷１０の側面から出っ張ることで、お墓の中や納骨堂の中などの暗い室内においても、骨壷用パネル１が取り付けられていることが容易に把握でき、表示面４に表示される故人の情報を確認しやすくなる。
【００４７】
図３では、故人の顔写真１１が表示面４に表示されており、遺族は故人の顔写真１１を見ることで、故人を特定しつつ故人を偲ぶことができるようになる。
【００４８】
図４は、本考案の実施の形態における骨壷用パネルを取り付けた骨壷の正面図である。骨壷を上から見た状態を示している。図４から明らかな通り、骨壷１０の側面において、骨壷用パネル１が出っ張った状態となっている。
【００４９】
装着面３は、円筒形をした骨壷１０の側面に沿った湾曲形状を有し、この湾曲形状が側面に対応している。装着面３が側面に沿って装着されることで、本体部材２が骨壷１０に取り付けられる。本体部材２は、装着面３と対向する表示面４を有し、表示面４は故人の情報を表示する。
【００５０】
また、図４で明らかな通り、骨壷用パネル１は、骨壷１０の側面に出っ張っているので、骨壷１０に取り付けられていることが容易に分かる。このため、遺族は把握が容易となる。
【００５１】
以上のように、骨壷用パネル１は、骨壷の側面に装着されることで、故人の情報を表示できるようになる。骨壷用パネル１を装着することで、骨壷に納められた遺骨の故人の写真や文章を見ることで、遺族は骨壷の主を容易に把握できるし、写真や文章によって故人を偲ぶ思いが大きくなる。
【００５２】
また、骨壷用パネル１は、表示面４に故人の情報を表示する処理を行った後で骨壷の側面に取り付ければよい。このため、骨壷に直接作業をする場合と異なり、遺骨を痛めたりする問題も回避できる。また、骨壷に取り付けるだけでよいので、既にお墓や納骨堂に収められた骨壷に骨壷用パネル１を装着すれば、骨壷に納められた故人を把握できると共に故人を偲ぶこともできるようになる。
【００５３】
例えば、予め骨壷用パネルのみを作成しておいて、骨壷の手配や納骨の手配が終わった後でゆっくりと骨壷用パネル１を装着することもできる。骨壷に直接印刷したり彫刻したりする場合と異なり、あわてた作業（亡くなった後は、遺族の気持ちは高ぶっており慎重な作業は難しい）によって骨壷をいためたり、骨壷を間違えたりすることもなくなる。
【００５４】
このように、骨壷用パネル１は、様々なメリットを遺族に提供できる。
【００５５】
骨壷であると、火葬場に行ってから渡される可能性もあり、事前に準備することは難しい。これに対して、故人が亡くなる前から、自分のお気に入りの写真や座右の銘などを表示面４に印刷しておいて骨壷用パネル１を準備しておくこともできる。準備しておけば、骨壷用パネル１を、骨壷に取り付けるだけで済むので、骨壷が事後的に用意される場合でも、問題なく個人の情報を表示できるようになる。
【００５６】
なお、このように骨壷用パネル１として提供できることで、葬儀社や火葬場などの特定の業者以外から、故人の情報を表示できる商品を入手できるようになる。この結果、遺族にとっての選択肢が増加し、価格の面からも遺族にとっての便益が高まる。
【００５７】
次に、各部の詳細に付いて説明する。
【００５８】
（本体部材）
【００５９】
本体部材２は、骨壷用パネル１の本体を形成するものである。本体部材２は、石材、セラミック、樹脂、金属、合金、木材など様々な素材で形成されれば良いが、骨壷１０との相性を考慮すると石材やセラミックなどが適当である。石材やセラミックで形成されることで、骨壷用パネル１の重厚感が増し、遺骨を納めている状態が表されるからである。
【００６０】
本体部材２は、石材やセラミック材が切り出されて形成されても良い。図１に示されるような形状を有するように切り出されることで、骨壷１０の側面形状に対応した装着面３と表示に適した表示面４とが同時に形成される。すなわち、一方の面が湾曲形状を有し、他方の面が平坦形状を有する形に、本体部材２が形成されることで装着面３と表示面４とが同時形成される。
【００６１】
本体部材２は、一般的な骨壷１０の形状や大きさに合わせておけば、大量に製造しておくこともできる。予め大量に製造しておけば、遺族や家族の申し出に対して故人の写真や名前などを表示面４に印刷や彫刻などして各遺族に納品できるようになる。この結果、製造コストや販売単価を低減できるメリットもある。
【００６２】
もちろん、多種多様な骨壷１０の形状や大きさに合わせて本体部材２が形成されれば良い。例えば、予め数種類の形状と大きさを有する本体部材２が用意されておくことも好適である。
【００６３】
本体部材２は、石材やセラミックによって一体で形成されても良いし、表示面４に印刷用の板材が貼り付けられても良い。あるいは、故人の写真や名前などの情報が印刷された板材（本体部材２と同質または類似の素材であることが好ましい）が、本体部材２の表示面４側に貼り付けられて、板材そのものが表示面４となってもよい。この場合には、板材に故人の写真などを印刷、彫刻などすれば良いので、印刷作業などがやりやすくなるメリットがある。
【００６４】
本体部材２は、装着面３が骨壷１０の側面に装着されることで骨壷１０に取り付けられる。
【００６５】
（装着面）
【００６６】
次に装着面３について説明する。
【００６７】
装着面３は、骨壷１０の側面に本体部材２を装着させる役割を有する。
【００６８】
装着面３は、骨壷１０の側面形状に対応した湾曲形状を有している。この湾曲形状が骨壷１０の側面にフィットして骨壷１０に装着される。
【００６９】
また、骨壷１０が、円筒形状を有している場合には、湾曲形状は円筒形状に沿った曲面を有している。図４に示されるような円弧をもった曲面を有している。もちろん、骨壷１０が角柱形状であれば、装着面３は、湾曲形状ではなく、平坦形状に近い形状を有していれば良い。
【００７０】
装着面３は、接着、溶着、溶接および取り付け部材の少なくとも一つによって本体部材２を骨壷１０の側面に取り付けることが可能である。
【００７１】
図５は、本考案の実施の形態における骨壷用パネルの背面図である。図５は、骨壷用パネル１を装着面３側から見た状態を示している。装着面３は、湾曲形状を有している。この湾曲形状が、骨壷１０の側面にフィットする。装着面３は、その表面の少なくとも一部に接着剤が塗布されて、この接着剤が骨壷１０の側面に貼り合わされて装着面３は、本体部材２を骨壷１０に取り付ける。
【００７２】
接着剤としては、一般の接着剤でも良いし、工作用接着剤など特殊用途の接着剤が用いられても良い。
【００７３】
接着剤によって、装着面３は、本体部材２を骨壷１０の側面に取り付けることで、容易かつ確実に骨壷用パネル１が骨壷１０に取り付けられる。このとき、表示面４に故人の写真や名前などが印刷された後で、装着面３に接着剤が塗布されて装着面３が骨壷１０の側面に貼り合わされればよい。もちろん、装着面３による接着で骨壷用パネル１が骨壷１０に取り付けられた後で、表示面４に故人の写真や名前などが印刷されても良い。
【００７４】
また、装着面３は、溶着によって本体部材２を骨壷１０の側面に取り付けても良い。装着面３の表面に溶着材料が塗布されておき、レーザー照射や加熱によって溶着材料が溶け出して装着面３と骨壷１０の側面とが装着される。
【００７５】
あるいは、装着面３は、溶接によって本体部材２を骨壷１０の側面に取り付けても良い。装着面３に熱が加えられてこの熱によって骨壷１０の側面との溶接が実現される。溶接によって装着されることで、より強固に装着される。
【００７６】
また、装着面３は、取り付け部材を備えておき、この取り付け部材によって骨壷１０の側面に骨壷用パネル１を取り付けても良い。
【００７７】
図６は、本考案の実施の形態における骨壷用パネルの背面図である。図６は、装着面３が取り付け部材２０を備えている状態を示している。装着面３の表面に、取り付け部材２０が設けられている。取り付け部材２０は、図６に示されるように凸部２１であって、装着面３から外部に突出する部材である。一方、骨壷１０は、この凸部２１と嵌合可能な凹部２２を備えている。凸部２１は、凹部２２と嵌合することで、装着面３は骨壷１０の側面に取り付けられる。
【００７８】
この凸部２１は、取り付け部材２０の一例である。また、取り付け部材２０は、凸部２１のみを把握する概念でも良いし、凸２１と凹部２２とをあわせた全体を把握する概念でも良い。
【００７９】
図７は、本考案の実施の形態における骨壷に骨壷用パネルを取り付ける状態を示す説明図である。
【００８０】
図７から明らかな通り、凸部２１が凹部２２に挿入されて嵌合する。両者が嵌合することで、骨壷用パネル１が骨壷１０の側面に取り付けられる。凸部２１と凹部２２による嵌合が用いられることで、接着や溶接の場合よりも、強度や耐久性が高まる。このとき、凸部２１と凹部２２との嵌合に加えて、接着や溶接も行なわれると、装着強度、耐久性が更に高まり、時間の経過による劣化が防止される。
【００８１】
もちろん、接着、溶着、溶接および取り付け部材のそれぞれが組み合わされて装着面３が骨壷１０の側面に取り付けられても良い。
【００８２】
このように、装着面３は、骨壷１０の側面形状に対応した湾曲形状を有していると共に、取り付け部材２０を始めとした接着や溶接によって骨壷１０の側面に装着されることで、骨壷用パネル１を確実に骨壷１０に取り付ける。
【００８３】
（表示面）
【００８４】
次に表示面４について説明する。
【００８５】
表示面４は、故人の情報を表示する。故人の情報とは、故人の写真、名前、模様、絵画、文章および記号の少なくとも一つである。もちろん、これらのいずれかが組み合わされても良い。例えば、故人の写真と名前との組み合わせが、故人の情報として、表示面４において表示される。
【００８６】
表示面４は、略平坦形状を有することが好適である。略平坦形状を有することで、遺族が表示面４に表示される故人の情報を視認しやすくなるからである。もちろん、平坦形状以外の形状を有していても良い。これらは遺族や故人の好みに応じて定められればよく、成型作業によって定められる。
【００８７】
表示面４は、装着面３と逆側の面、すなわち対向する面であり、装着面３が骨壷１０の側面に装着されることで、骨壷１０の外側から視認されるようになる。表示面４は、本体部材２と同じ素材や色味であってもよいし、本体部材２と異なる素材や色味で形成されても良い。例えば、本体部材２が形成される際に、表示面４となる面に着色や漂白が行なわれて、表示面４の色味が本体部材２と異なっても良い。あるいは、表示面４となる板材が形成されて、この板材が本体部材２に貼り付けられることでもよい。このように、表示面４の形成は、本体部材２の形成と一体でも良いし、別体でもよい。
【００８８】
表示面４は、故人の情報をレーザー焼付け、印字、印刷、彫刻などの手段で表示できるようにする。このとき、表示面４が石材やセラミックで形成されている場合には、レーザー焼付け（レーザー印刷）が、表示の鮮明さや耐久性の面からも優れている。
【００８９】
もちろん、他の手段によって印刷されてもよい。
【００９０】
図８は、本考案の実施の形態における表示面の正面図である。
【００９１】
図８は、表示面４に故人情報が表示されている状態を示している。ここでは、故人の写真、故人の名前、故人の没日が表示されている。これらは、レーザー焼付け、印刷、彫刻など、種々の手段で表示されるようになればよい。
【００９２】
表示面４は、故人や遺族の希望に応じて種々の情報を組み合わせて表示できる。
【００９３】
遺族は、この表示を見ることで、骨壷の主を把握できるし、故人を偲ぶ気持ちを持つことが容易となる。
【００９４】
以上のように、本考案の骨壷用パネル１は、骨壷１０への作業を行なう必要がなく、これから遺骨を納める骨壷であっても既に納骨されている骨壷であっても故人の情報を表示できるようになる。また、骨壷用パネル１として提供されるので、遺族にとっての低廉に受け入れることができる。もちろん、骨壷１０への作業がないことで、遺族にとっても受け入れやすくなり、故人を偲ぶ気持ちと相まって、家族や友人を結びつけるきっかけとなる。
【００９５】
また、故人にとっては、生前の内に、自分のお気に入りの写真や座右の銘を骨壷に残すこともできるので種々の要望を満足させることができる。
【００９６】
なお、以上実施の形態で説明した骨壷用パネルは一例であり、将来の技術進歩に従った当然の改良や本考案の趣旨を逸脱しない改変を含む。
【符号の説明】
【００９７】
１    骨壷用パネル
２    本体部材
３    装着面
４    表示面
６    平面部材
１０    骨壷
２０    取り付け部材
２１    凸部
２２  凹部
【図１】
0003157142.tif 000003
【図２】
0003157142.tif 000004
【図３】
0003157142.tif 000005
【図４】
0003157142.tif 000006
【図５】
0003157142.tif 000007
【図６】
0003157142.tif 000008
【図７】
0003157142.tif 000009
【図８】
0003157142.tif 000010